(57)【特許請求の範囲】
【請求項１】
第１電池セル及び第２電池セルを筐体内に収容する電池パックであって、
前記筐体は、
第１底部を有し、前記第１電池セルを収容する第１収容部と、
第２底部を有し、前記第２電池セルを収容する第２収容部と、を備え、
前記第２収容部は、前記第１収容部上に積み重ねられ、
前記第１底部は、前記第２収容部と反対側に配置され、
前記第２底部は、前記第１収容部側に配置され、
前記第２底部の熱容量は、前記第１底部の熱容量よりも大きい、電池パック。
【請求項２】
前記第２底部の厚さは、前記第１底部の厚さよりも厚い、請求項１に記載の電池パック。
【請求項３】
第１電池セル及び第２電池セルを筐体内に収容する電池パックであって、
前記筐体は、
第１底部を有し、前記第１電池セルを収容する第１収容部と、
第２底部を有し、前記第２電池セルを収容する第２収容部と、を備え、
前記第２収容部は、前記第１収容部上に積み重ねられ、
前記第１底部は、前記第２収容部と反対側に配置され、
前記第２底部は、前記第１収容部側に配置され、
前記第２底部の熱伝導率は、前記第１底部の熱伝導率よりも高い、電池パック。
【請求項４】
前記第１収容部において、前記第１電池セルは、前記第１底部に取り付けられており、
前記第２収容部において、前記第２電池セルは、前記第２底部に取り付けられている、請求項１〜請求項３のいずれか一項に記載の電池パック。
【請求項５】
前記第１収容部の前記第１底部に対向する面が第１開口をなし、
前記第２収容部は、前記第２底部により、前記第１開口を塞ぐように前記第１収容部上に積み重ねられている、請求項１〜請求項４のいずれか一項に記載の電池パック。
【請求項６】
前記第２底部の前記第１収容部側に位置する面には、複数の凹部が設けられている、請求項５に記載の電池パック。
【請求項７】
前記第１収容部と前記第２収容部とは、別体として構成されており、
前記第２底部は、前記第１収容部側に位置する面に、前記第１開口に嵌合する凸部を有している、請求項５又は６に記載の電池パック。
【発明の詳細な説明】
【技術分野】
【０００１】
本発明は、電池パックに関する。
【背景技術】
【０００２】
特許文献１には、複数個の単電池を筐体内に収納する集合電池が記載されている。この集合電池の筐体は、電池ケースを複数段に積み重ねた構造を有し、各電池ケースのそれぞれに複数個の単電池が収容されている。
【先行技術文献】
【特許文献】
【０００３】
【特許文献１】特開平１−１３４８５１号公報
【発明の概要】
【発明が解決しようとする課題】
【０００４】
電池セルは、使用により、充電及び放電を繰り返す。電池セルは、特に充電時に発熱する。電池セルは、高温により劣化するので、電池セルの劣化を抑えるには、電池セルの放熱性を高める必要がある。電池セルから放出された熱は、筐体を介して筐体の外部及び内部に放出される。上述のように、複数のケースを積み重ねた構造を有する筐体には、筐体の外部に露出する面を有する壁部と、略全体が筐体の内部に位置する壁部とが存在している。
【０００５】
電池セルの使用時は、通常、筐体の内部の温度よりも、筐体の外部の温度の方が低くなる。また、熱は、温度差が大きいほど伝わり易い。したがって、略全体が筐体内に位置する壁部の放熱性は、外部に露出する面を有する壁部の放熱性よりも低くなる。この違いに起因して、複数のケース間で電池セルの放熱性にばらつきが生じる場合がある。これに伴い、電池セル間に温度差が生じ、電池セル間で劣化の程度にばらつきが生じるおそれがある。電池パックの寿命は、最も劣化の大きい電池セルに左右される。このため、一部の電池セルで劣化が進むと、電池パックの寿命が短くなるおそれがある。
【０００６】
本発明は、複数の収容部間で電池セルの放熱性にばらつきが生じることを抑制可能な電池パックを提供する。
【課題を解決するための手段】
【０００７】
本発明の一態様に係る電池パックは、第１電池セル及び第２電池セルを筐体内に収容する電池パックであって、筐体は、第１底部を有し、第１電池セルを収容する第１収容部と、第２底部を有し、第２電池セルを収容する第２収容部と、を備え、第２収容部は、第１収容部上に積み重ねられ、第１底部は、第２収容部と反対側に配置され、第２底部は、第１収容部側に配置され、第２底部の熱容量は、第１底部の熱容量よりも大きい。
【０００８】
この電池パックでは、第１電池セルの熱は、第１収容部を介して、筐体の外部又は内部に放出される。また、第２電池セルの熱は、第２収容部を介して、筐体の外部又は内部に放出される。第１収容部の第１底部は、筐体の外部に露出する面を有している。また、第２収容部の第２底部は、略全体が筐体の内部に位置している。このため、第２底部の放熱性は、第１底部の放熱性よりも低くなっている。したがって、放熱性の点では、第２底部の温度は、第１底部の温度よりも高くなり易い。仮に、第２底部の温度が第１底部の温度よりも高くなると、第２電池セルの第２底部に対する放熱性が、第１電池セルの第１底部に対する放熱性よりも低くなる。そこで、第２底部の熱容量は、第１底部の熱容量よりも大きく設定されている。熱容量が大きいと、温度が上昇し難くなる。したがって、第２底部の温度が第１底部の温度よりも高くなることを抑制できる。すなわち、第１底部及び第２底部の熱容量は、第１電池セルの放熱性に対する第１底部の影響と、第２電池セルの放熱性に対する第２底部の影響との間のばらつきを抑制するように設定されている。この結果、第１電池セルと第２電池セルとの間で、放熱性にばらつきが生じることを抑制可能となる。
【０００９】
第２底部の厚さは、第１底部の厚さよりも厚くてもよい。第１底部の熱容量は、第１底部の厚さに比例し、第２底部の熱容量は、第２底部の厚さに比例する。したがって、この場合、第２底部の熱容量を第１底部の熱容量よりも大きくすることができる。
【００１０】
本発明の一態様に係る電池パックは、第１電池セル及び第２電池セルを筐体内に収容する電池パックであって、筐体は、第１底部を有し、第１電池セルを収容する第１収容部と、第２底部を有し、第２電池セルを収容する第２収容部と、を備え、第２収容部は、第１収容部上に積み重ねられ、第１底部は、第２収容部と反対側に配置され、第２底部は、第１収容部側に配置され、第２底部の熱伝導率は、第１底部の熱伝導率よりも高い。
【００１１】
この電池パックでは、第１電池セルの熱は、第１収容部を介して、筐体の外部又は内部に放出される。また、第２電池セルの熱は、第２収容部を介して、筐体の外部又は内部に放出される。第１収容部の第１底部は、筐体の外部に露出する面を有している。また、第２収容部の第２底部は、略全体が筐体の内部に位置している。このため、第２底部の放熱性は、第１底部の放熱性よりも低くなっている。したがって、放熱性の点では、第２底部の温度は、第１底部の温度よりも高くなり易い。仮に、第２底部の温度が第１底部の温度よりも高くなると、第２電池セルの第２底部に対する放熱性が、第１電池セルの第１底部に対する放熱性よりも低くなる。そこで、第２底部の熱伝導率は、第１底部の熱伝導率よりも高く設定されている。熱は、熱伝導率が大きいほど伝わり易いため、第２電池セルの熱が第２底部を介して第１収容部に放出され易くなる。すなわち、第１底部及び第２底部の熱伝導率は、第１電池セルの放熱性に対する第１底部の影響と、第２電池セルの放熱性に対する第２底部の影響との間のばらつきを抑制するように設定されている。この結果、第１電池セルと第２電池セルとの間で、放熱性にばらつきが生じることを抑制可能となる。
【００１２】
第１収容部において、第１電池セルは、第１底部に取り付けられており、第２収容部において、第２電池セルは、第２底部に取り付けられていてもよい。上述のとおり、第１電池セルの放熱性に対する第１底部の影響と、第２電池セルの放熱性に対する第２底部の影響との間のばらつきが抑制されている。この結果、第１電池セルと第２電池セルとの間で、放熱性にばらつきが生じることを更に抑制可能となる。
【００１３】
第１収容部の第１底部に対向する面が第１開口をなし、第２収容部は、第２底部により、第１開口を塞ぐように第１収容部上に積み重ねられていてもよい。この場合、第１収容部が第１底部に対向する蓋部を有していないので、第１収容部の構成を簡単にすることができる。
【００１４】
第２底部の第１収容部側に位置する面には、複数の凹部が設けられていてもよい。この場合、第２底部の第１収容部側に位置する面の表面積が増し、第２底部から第１収容部に熱が放出され易くなる。これにより、第２底部の温度の上昇が更に抑えられるので、第２底部に対する第２電池セルの放熱性を更に高めることができる。この結果、第１電池セルと第２電池セルとの間で、放熱性にばらつきが生じることを更に抑制可能となる。
【００１５】
第１収容部と第２収容部とは、別体として構成されており、第２底部は、第１収容部側に位置する面に、第１開口に嵌合する凸部を有していてもよい。この場合、第１収容部と第２収容部との間の位置決めを容易に行うことができる。
【発明の効果】
【００１６】
本発明によれば、複数の収容部間で電池セルの放熱性にばらつきが生じることを抑制可能となる。
【図面の簡単な説明】
【００１７】
【図１】第１実施形態に係る電池パックの一部を破断して示す斜視図である。
【図２】図１のII−II線に沿っての断面図である。
【図３】第２実施形態に係る電池パックの断面図である。
【図４】第３実施形態に係る電池パックの断面図である。
【図５】第４実施形態に係る電池パックの断面図である。
【発明を実施するための形態】
【００１８】
以下、添付図面を参照しながら本発明の実施形態が詳細に説明される。図面の説明において、同一又は同等の要素には同一符号が用いられ、重複する説明は省略される。図面の寸法比率は、説明のものと必ずしも一致していない。また、説明中、「上」、「下」、「前」、「後」等の方向を示す語は、図面に示された状態に基づいた便宜的な語である。
【００１９】
（第１実施形態）
図１及び図２を参照して、第１実施形態について説明する。図１は、第１実施形態に係る電池パックの一部を破断して示す斜視図である。図２は、図１のII−II線に沿っての断面図である。図１及び図２に示されるように、電池パック１Ａは、第１電池モジュール２ａと、第２電池モジュール２ｂと、を筐体４内に収容している。電池パック１Ａは、例えばフォークリフト等の車両のバッテリーとして用いられる装置であり、車両に設けられた所定の大きさのバッテリー収容部に収容されている。
【００２０】
第１電池モジュール２ａは、複数の第１電池セル３ａを有している。第１電池セル３ａは、リチウムイオン二次電池等の非水電解質二次電池といった蓄電池、または電気二重層キャパシタ等である。複数の第１電池セル３ａは、互いに電気的に接続されて、Ｘ方向に配列されている。複数の第１電池セル３ａは、このように配列された状態において、例えば、Ｘ方向の両側に配置された一対のエンドプレート（不図示）により互いに固定され、一体化されている。第１電池モジュール２ａの配列方向の両端（すなわち、エンドプレート）には、第１電池モジュール２ａを筐体４に固定して取り付けるためのブラケット（不図示）が取り付けられている。ブラケットは、例えば、ボルトで第１電池モジュール２ａに取り付けられている。
【００２１】
第２電池モジュール２ｂは、複数の第２電池セル３ｂを有している。第２電池セル３ｂは、リチウムイオン二次電池等の非水電解質二次電池といった蓄電池、または電気二重層キャパシタ等である。複数の第２電池セル３ｂは、互いに電気的に接続されて、Ｘ方向に配列されている。複数の第２電池セル３ｂは、このように配列された状態において、例えば、Ｘ方向の両側に配置された一対のエンドプレート（不図示）により互いに固定され、一体化されている。第２電池モジュール２ｂの配列方向の両端（すなわち、エンドプレート）には、第２電池モジュール２ｂを筐体４に固定して取り付けるためのブラケット（不図示）が取り付けられている。ブラケットは、例えば、ボルトで第２電池モジュール２ｂに取り付けられている。なお、第２電池セル３ｂは、第１電池セル３ａと同等の構成を有している。また、第２電池モジュール２ｂは、第１電池モジュール２ａと同等の構成を有している。
【００２２】
筐体４は、直方体形状を呈している。筐体４は、例えば、鉄、アルミニウム等の金属により形成されている。ここでは、筐体４は、全体的に同じ金属材料により形成されている。筐体４は、第１収容部１０と、第２収容部２０と、蓋部５と、前壁部６と、後壁部７と、を備えている。
【００２３】
第１収容部１０は、複数の第１電池セル３ａを収容している。第１収容部１０は、断面Ｕ字状を呈し、第１底部１１と、一対の側壁部１２とを有している。第１収容部１０の第１底部１１に対向する面は、第１開口Ａ１をなしている。第１底部１１は、矩形状の平板である。第１底部１１の厚さｔ１は、例えば、２０ｍｍである。第１底部１１は、第１電池モジュール２ａが取り付けられる取付け面１１ａと、取付け面１１ａの裏側の裏面１１ｂとを有している。
【００２４】
取付け面１１ａは、第１収容部１０内に露出している。裏面１１ｂは、筐体４の外部に露出している。取付け面１１ａには、Ｘ方向及びＹ方向に２つずつ、合計４つの第１電池モジュール２ａがブラケットにより取り付けられている。なお、第１電池モジュール２ａの数及び配置は、これに限られない。
【００２５】
一対の側壁部１２は、Ｙ方向で互いに対向する矩形状の平板である。一対の側壁部１２の厚さは、例えば、２０ｍｍである。一対の側壁部１２は、第１底部１１のＹ方向の両端部から連続して、Ｚ方向に延びている。第１底部１１と、一対の側壁部１２とは一体的に形成されている。なお、第１底部１１と、一対の側壁部１２とが別体であり、これらの組み合わせにより第１収容部１０が構成されていてもよい。
【００２６】
第２収容部２０は、複数の第２電池セル３ｂを収容している。第２収容部２０は、断面Ｕ字状を呈し、第２底部２１と、一対の側壁部２２とを有している。第２収容部２０の第２底部２１に対向する面は、第２開口Ａ２をなしている。第２底部２１は、矩形状の平板である。第２底部２１の厚さｔ２は、例えば、３０ｍｍ以上４０ｍｍ以下である。第２底部２１は、第２電池モジュール２ｂが取り付けられる取付け面２１ａと、取付け面２１ａの裏側の裏面２１ｂとを有している。
【００２７】
取付け面２１ａは、第２収容部２０内に露出している。裏面２１ｂは、第１収容部１０側に位置し、第１収容部１０内に露出している。取付け面２１ａには、Ｘ方向及びＹ方向に２つずつ、合計４つの第２電池モジュール２ｂがブラケットにより取り付けられている。なお、第２電池モジュール２ｂの数及び配置は、これに限られない。
【００２８】
一対の側壁部２２は、Ｙ方向で互いに対向する矩形状の平板である。一対の側壁部２２の厚さは、例えば、２０ｍｍである。一対の側壁部２２は、第２底部２１のＹ方向の両端部から連続して、Ｚ方向に延びている。第２底部２１と、一対の側壁部２２とは一体的に形成されている。なお、第２底部２１と、一対の側壁部２２とが別体であり、これらの組み合わせにより第２収容部２０が構成されていてもよい。
【００２９】
第２収容部２０は、第２底部２１により、第１開口Ａ１を塞ぐように第１収容部１０上に積み重ねられている。即ち、第１底部１１は、第２収容部２０と反対側に配置され、第２底部２１は、第１収容部１０側に配置されている。第１収容部１０と第２収容部２０とが当接する部分は、例えば、ボルト、溶接等により接合されている。第１収容部１０と第２収容部２０とは、具体的には、一対の側壁部１２の第２収容部２０側の端部と、第２底部２１の裏面２１ｂのＹ方向の両端部とにおいて当接している。
【００３０】
第２底部２１の厚さｔ２は、第１底部１１の厚さｔ１よりも厚い。第２底部２１の厚さｔ２は、第１底部１１の厚さｔ１の、例えば、１．５倍以上である。第１底部１１の熱容量（熱マス）は、第１底部１１の厚さｔ１に比例し、第２底部２１の熱容量は、第２底部２１の厚さｔ２に比例する。上述のように、筐体４は、全体的に同じ金属材料により形成されている。このため、第２底部２１の熱容量は、第１底部１１の熱容量よりも大きくなる。また、第２底部２１の熱容量と第１底部１１の熱容量との差は、第２底部２１の厚さｔ２と第１底部１１の厚さｔ１との差に比例する。
【００３１】
蓋部５は、矩形状の平板である。蓋部５の厚さは、例えば、２０ｍｍである。蓋部５は、第２開口Ａ２を塞ぐように第２収容部２０上に設けられている。Ｚ方向から見て、第１底部１１、第２底部２１、及び蓋部５は、互いに完全に重なるようして、この順に設けられている。第２収容部２０と蓋部５とが当接する部分は、例えば、ボルト、溶接等により接合されている。第２収容部２０と蓋部５とは、具体的には、一対の側壁部２２の蓋部５側の端部と、蓋部５の第２収容部２０側の面におけるＹ方向の両端部とにおいて当接している。
【００３２】
前壁部６及び後壁部７は、矩形状の平板であり、互いに同形状をなしている。前壁部６及び後壁部７の厚さは、例えば、２０ｍｍである。前壁部６及び後壁部７は、Ｘ方向で互いに対向し、第１収容部１０、第２収容部２０、及び蓋部５を挟み込んでいる。前壁部６及び後壁部７と、第１収容部１０、第２収容部２０、及び蓋部５とが当接する部分は、例えば、ボルト、溶接等により接合されている。
【００３３】
第１収容部１０、第２収容部２０、蓋部５、前壁部６、及び後壁部７は、それぞれ別体として構成されている。電池パック１を組み立てるには、例えば、まず、第１収容部１０において、取付け面１１ａに第１電池モジュール２ａを取り付けるとともに、第２収容部２０において、取付け面２１ａに第２電池モジュール２ｂを取り付ける。続いて、第１収容部１０の第１開口Ａ１を塞ぐように、第１収容部１０上に第２収容部２０を積み重ね、第１収容部１０に第２収容部２０を取り付ける。
【００３４】
次に、第２収容部２０の第２開口Ａ２を塞ぐように、第２収容部２０上に蓋部５を取り付ける。続いて、第１収容部１０、第２収容部２０、及び蓋部５をＸ方向で挟み込むようにして、前壁部６及び後壁部７を第１収容部１０、第２収容部２０、及び蓋部５に取り付ける。これにより、電池パック１が組み立てられる。なお、電池パック１は、これ以外の方法により、組み立てられてもよい。
【００３５】
以上説明したように、電池パック１Ａは、第１電池セル３ａ及び第２電池セル３ｂを筐体４内に収容している。第１電池セル３ａ及び第２電池セル３ｂは、使用により、充電及び放電を繰り返す。第１電池セル３ａ及び第２電池セル３ｂは、特に充電時に発熱する。第１電池セル３ａ及び第２電池セル３ｂは、高温により劣化するので、第１電池セル３ａ及び第２電池セル３ｂの劣化を抑えるには、第１電池セル３ａ及び第２電池セル３ｂの熱を放出する必要がある。電池パック１Ａの寿命は、第１電池セル３ａ及び第２電池セル３ｂのうち劣化の大きい方に左右される。すなわち、第１電池セル３ａ及び第２電池セル３ｂの一方で劣化が進むと、電池パック１Ａの寿命が短くなるおそれがある。したがって、電池パック１Ａの寿命を伸ばすためには、第１電池セル３ａ及び第２電池セル３ｂの一方で劣化が進むことを抑制する必要がある。
【００３６】
第１収容部１０の第１電池セル３ａで発生した熱は、第１電池セル３ａから第１底部１１に放出され、その後、第１底部１１から筐体４の外部に放出される。これに対し、第２収容部２０の第２電池セル３ｂで発生した熱は、第２電池セル３ｂから第２底部２１に放出される。なお、第１収容部１０の第１電池セル３ａ及び第２収容部２０の第２電池セル３ｂで発生した熱の一部分は、第１収容部１０及び第２収容部２０内の空気等にも放出されるものの、熱伝導率の違いから、大部分は、第１電池セル３ａが直接接して取り付けられている第１底部１１及び第２電池セル３ｂが直接接して取り付けられている第２底部２１に放出される。
【００３７】
電池パック１Ａの使用時は、通常、筐体４の内部の温度よりも、筐体４の外部の温度の方が低くなる。したがって、筐体４の外部に熱を放出できる第１底部１１に比べて、略全体が筐体４内に位置し、主に筐体４の内部にしか熱を放出できない第２底部２１では、熱が放出され難い。すなわち、第２底部２１の放熱性が、第１底部１１の放熱性よりも低くなっている。したがって、放熱性の点では、第２底部２１の温度は、第１底部１１の温度よりも高くなり易い。仮に、第２底部２１の温度が第１底部１１の温度よりも高くなると、第１底部１１に比べて、第２底部２１では第２電池セル３ｂから熱が放出され難くなる。この結果、第１電池セル３ａと第２電池セル３ｂとの間で放熱性にばらつきが生じるおそれがある。
【００３８】
そこで、第２収容部２０の第２底部２１の厚さｔ２が、第１収容部１０の第１底部１１の厚さｔ１よりも厚く設定されることにより、第２収容部２０の第２底部２１の熱容量は、第１収容部１０の第１底部１１の熱容量よりも大きく設定されている。熱容量が大きいと、温度が上昇し難くなる。したがって、第２底部２１の温度が上昇することを抑制できる。これにより、第２収容部２０内の第２電池セル３ｂから第２底部２１に熱が放出され易くなるので、第２収容部２０内の第２電池セル３ｂの第２底部２１に対する放熱性が高まる。この結果、第１電池セル３ａの放熱性に対する第１底部１１の影響と、第２電池セル３ｂの放熱性に対する第２底部２１の影響との間のばらつきが抑制される。
【００３９】
すなわち、第１底部１１の厚さｔ１及び熱容量と、第２底部２１の厚さｔ２及び熱容量とは、第１電池セル３ａの放熱性に対する第１底部１１の影響と、第２電池セル３ｂの放熱性に対する第２底部２１の影響との間のばらつきを抑制するように設定されている。この結果、第１電池セル３ａと第２電池セル３ｂとの間で放熱性にばらつきが生じることを抑制可能となる。また、これに伴い、電池パック１Ａの寿命を向上させることができる。
【００４０】
第１収容部１０の第１底部１１に対向する面は、第１開口Ａ１をなし、第２収容部２０は、第２底部２１により、第１開口Ａ１を塞ぐように第１収容部１０上に積み重ねられている。このように、第２底部２１が第１開口Ａ１を塞いでいるため、第１収容部１０が第１開口Ａ１を塞ぐ部材を有していない。したがって、第１収容部１０の構成を簡単にすることができる。
【００４１】
（第２実施形態）
続いて、図３を参照して、第２実施形態について説明する。図３は、第２実施形態に係る電池パックの断面図である。なお、以下では、第１実施形態に係る電池パック１Ａ（図１参照）と異なる点についてのみ説明する。
【００４２】
図３に示されるように、第２実施形態に係る電池パック１Ｂでは、第２底部２１の厚さｔ２が第１底部１１の厚さｔ１と同じである。また、第１収容部１０は、例えば、鉄により構成され、第２収容部２０は、例えば、アルミにより構成されている。アルミの熱伝導率は、鉄の熱伝導率よりも高い。すなわち、第２底部２１の熱伝導率が、第１底部１１の熱伝導率よりも高く設定されている。
【００４３】
熱は、熱伝導率が大きいほど伝わり易い。したがって、第２底部２１の熱伝導率が、第１底部１１の熱伝導率と同一に設定されている場合に比べて、電池パック１Ｂでは、第２電池セル３ｂの熱が、第２底部２１を介して第１収容部１０に放出され易くなるとともに、側壁部２２を介して第２収容部２０の外部に放出され易くなる。すなわち、第２電池セル３ｂの放熱性が高まる。この結果、第１電池セル３ａの放熱性に対する第１底部１１の影響と、第２電池セル３ｂの放熱性に対する第２底部２１の影響との間のばらつきが抑制される。
【００４４】
すなわち、第１底部１１の熱伝導率と、第２底部２１の熱伝導率とは、第１電池セル３ａの放熱性に対する第１底部１１の影響と、第２電池セル３ｂの放熱性に対する第２底部２１の影響との間のばらつきを抑制するように設定されている。この結果、電池パック１Ｂにおいても、第１電池セル３ａと第２電池セル３ｂとの間で放熱性にばらつきが生じることを抑制可能となる。
【００４５】
（第３実施形態）
続いて、図４を参照して、第３実施形態について説明する。図４は、第３実施形態に係る電池パックの断面図である。なお、以下では、第１実施形態に係る電池パック１Ａ（図１参照）と異なる点についてのみ説明する。
【００４６】
図４に示されるように、第３実施形態に係る電池パック１Ｃでは、第２底部２１の裏面２１ｂに、複数の凹部２３が設けられている。各凹部２３は、取付け面２１ａ側にくぼんだ形状を有している。すなわち、各凹部２３の底部と取付け面２１ａとの距離は、裏面２１ｂの凹部２３以外の部分と取付け面２１ａとの距離よりも短い。
【００４７】
これにより、電池パック１Ｃでは、第２底部２１の裏面２１ｂの表面積が増し、第２底部２１から第１収容部１０に熱が放出され易くなる。したがって、第２底部２１の温度の上昇が更に抑えられ、第２電池セル３ｂの第２底部２１に対する放熱性を更に高めることができる。これにより、電池パック１Ｃでは、第１電池セル３ａの放熱性に対する第１底部１１の影響と、第２電池セル３ｂの放熱性に対する第２底部２１の影響との間のばらつきが更に抑制される。この結果、第１電池セル３ａと第２電池セル３ｂとの間で放熱性にばらつきが生じることを更に抑制可能となる。
【００４８】
（第４実施形態）
続いて、図５を参照して、第４実施形態について説明する。図５は、第４実施形態に係る電池パックの断面図である。なお、以下では、第１実施形態に係る電池パック１Ａ（図１参照）と異なる点についてのみ説明する。
【００４９】
図５に示されるように、第４実施形態に係る電池パック１Ｄでは、第２底部２１が、第１開口Ａ１に嵌合する凸部２４を裏面２１ｂに有している。第２収容部２０は、凸部２４が第１開口Ａ１に嵌合した状態で、第１収容部１０上に積み重ねられている。
【００５０】
このように、電池パック１Ｄでは、第２底部２１は、裏面２１ｂに凸部２４を有しているので、第２底部２１の熱容量を、凸部２４の体積に対応する分だけ増大させることができる。これにより、第２底部２１の温度の上昇が更に抑えられるので、第２底部２１に対する第２電池セル３ｂの放熱性を更に高めることができる。この結果、第１電池セル３ａと第２電池セル３ｂとの間で放熱性にばらつきが生じることを更に抑制可能となる。また、別体として構成された第１収容部１０と第２収容部２０とを組み立てる際に、凸部２４を利用することにより、第１収容部１０と第２収容部２０との間の位置決めを容易に行うことができる。したがって、電池パック１Ｄの組み立てにおける作業性を向上させることができる。
【００５１】
以上、実施形態について説明したが、本発明に係る電池パックは、上記実施形態に限定されない。例えば、電池パック１Ａ〜電池パック１Ｄは、第１収容部１０と蓋部５との間に、第１収容部１０と蓋部５とが対向する方向（Ｚ方向）に沿って順次積み重ねられた複数の第２収容部２０を備えていてもよい。
【００５２】
また、電池パック１Ａ、電池パック１Ｃ及び電池パック１Ｄにおいて、第１収容部１０と第２収容部２０とは、同じ金属材料で構成されているとしたが、異なる金属材料で構成されていてもよい。例えば、第２収容部２０の熱伝導率が、第１収容部１０の熱伝導率よりも高くなるように、各金属材料を選択してもよい。また、例えば、第２収容部２０の比熱容量が、第１収容部１０の比熱容量よりも高くなるように、各金属材料を選択してもよい。これにより、第２電池セル３ｂの熱が第２底部２１に更に放出され易くなるので、第１電池セル３ａと第２電池セル３ｂとの間で放熱性にばらつきが生じることを更に抑制可能となる。
【００５３】
電池パック１Ａ〜電池パック１Ｄにおいて、第１収容部１０、第２収容部２０、蓋部５、前壁部６、及び後壁部７は、それぞれ別体として構成されているとしたが、このうち２つ以上が一体化されていてもよい。
【００５４】
電池パック１Ａ〜電池パック１Ｄにおいて、第１収容部１０が第１電池セル３ａを収容し、第２収容部２０が第２電池セル３ｂを収容していればよく、第１電池セル３ａが、第１底部１１の取付け面１１ａ以外の場所に取り付けられていてもよいし、第２電池セル３ｂが第２底部２１の取付け面２１ａ以外の場所に取り付けられていてもよい。例えば、第１電池セル３ａが、側壁部１２に取り付けられているとともに、第２電池セル３ｂが側壁部２２に取り付けられている場合、側壁部１２から第１底部１１に第１電池セル３ａの熱が伝わるとともに、側壁部２２から第２底部２１に第２電池セル３ｂの熱が伝わる。したがって、このような場合であっても、第１電池セル３ａの放熱性に対する第１底部１１の影響と、第２電池セル３ｂの放熱性に対する第２底部２１の影響との間のばらつきが抑制されていれば、第１電池セル３ａと第２電池セル３ｂとの間での放熱性にばらつきが生じることを抑制可能となる。
【００５５】
電池パック１Ｂでは、第２底部２１の熱伝導率が、第１底部１１の熱伝導率よりも高く設定されていればよく、一対の側壁部２２の熱伝導率が、一対の側壁部１２の熱伝導率と同じで、かつ、一対の側壁部２２の熱容量が、一対の側壁部１２の熱容量と同じであってもよい。
【００５６】
電池パック１Ａ及び電池パック１Ｂでは、第１収容部１０の第１底部１１に対向する面は、第１開口Ａ１をなしているが、第１底部１１に対向する蓋部が第１収容部１０に設けられていてもよい。蓋部は、例えば、矩形状の平板とすることができる。このような蓋部を第２底部２１とともに機能させることにより、第２電池セル３ｂの放熱性を高めることができる。蓋部の厚さは、第２底部２１及び蓋部の熱容量が所望の値となるよう適宜調整可能である。なお、蓋部は、第２電池セル３ｂの放熱性の向上に実質的に寄与しない薄い板であってもよい。
【００５７】
電池パック１Ｃにおいて、複数の凹部２３の代わりに、第１収容部１０側に突出する複数の凸部が設けられることにより、裏面２１ｂの表面積が増大されていてもよい。凸部が設けられている場合は、凹部２３が設けられている場合に比べて第２底部２１の体積が増大するので、第２底部２１の熱容量を更に増大させることができる。なお、凹部２３が設けられている場合は、凸部が設けられている場合よりも取り扱いが容易である。
【符号の説明】
【００５８】
１Ａ〜１Ｄ…電池パック、２ａ…第１電池モジュール、２ｂ…第２電池モジュール、３ａ…第１電池セル、３ｂ…第２電池セル、４…筐体、１０…第１収容部、１１…第１底部、２０…第２収容部、１１…第１底部、２１ｂ…裏面、２３…凹部、２４…凸部、Ａ１…第１開口、Ａ２…第２開口、ｔ１，ｔ２…厚さ。
【図１】
0006464958.tif 000002
【図２】
0006464958.tif 000003
【図３】
0006464958.tif 000004
【図４】
0006464958.tif 000005
【図５】
0006464958.tif 000006